(57)【要約】【課題】  空気調和機に装備される電動膨張弁において、冷媒が弁を通過する際に発生する騒音の低減を図る。【解決手段】  電動膨張弁１は、キャン３０内に配置されるローター部材７０をキャン３０外に取付けるステータで駆動する。ローター部材７０の回転は、ねじ部４２，６２により直線運動に変換されて弁棒８０を上下動させる。弁本体１０は、弁室１２、弁口１３、弁座１４、横穴１１を有する。弁口１３の長さ寸法Ｌ１を弁部８４より長くして、矢印Ｆ１から流入する冷媒の通過音を抑制する。矢印Ｆ２から流入する冷媒に対しては、配管１１０に絞り部１１２を設けてオリフィスの機能を与えて、通過音を低減する。【選択図】        図１
2006097947.tif 000002
【特許請求の範囲】
【請求項１】
冷媒が導入される弁室及び弁座を有する弁本体と、前記弁座に対向する弁棒と、前記弁本体に固着される非磁性材製のキャンと、前記キャン内に配設されるローター部材と、前記キャン外に装着されるステータ部材と、前記ローター部材の回転運動を直線運動に変換して前記弁棒に伝達するねじ機構を備える電動膨張弁であって、
前記弁本体の軸線上に設けられる弁口の長さ寸法は、前記弁口内に挿入される前記弁棒の先端のテーパー状の弁部の長さ寸法より大きな寸法を有する電動弁。
【請求項２】
前記弁室の横穴に一端部が連結される配管の他端部は絞り部を備える請求項１記載の電動弁。
【請求項３】
前記絞り部の内径寸法は、前記弁口の内径寸法に対して１乃至１．５倍の寸法を有する請求項２記載の電動弁。
【請求項４】
前記絞り部の長さ寸法は、前記絞り部の内径寸法の実質的に略３倍の長さ寸法を有する請求項２記載の電動弁。
【発明の詳細な説明】
【技術分野】
【０００１】
本発明は、ヒートポンプ式の空気調和機に組み込まれて冷媒の流量を制御する電動膨張弁に関し、特に冷媒通過時に発生しがちな騒音を簡便に抑制できる電動弁に関する。
【背景技術】
【０００２】
弁室と弁座を有する弁本体に円筒状のキャンを溶接し、キャン内に配置したロータをキャン外に装着するステータコイルにより回転駆動し、この回転をねじ機構によって、弁軸の直線運動に変換して、弁軸と弁座の間の流路面積を制御する電動弁が使用されている。
例えば、下記の特許文献１は、この種の電動弁を開示する。
【特許文献１】特開２０００−１２０８８５号公報
【発明の開示】
【発明が解決しようとする課題】
【０００３】
ヒートポンプ式の空気調和機にあっては、膨張弁を通過する冷媒は、双方向に流れる。
膨張弁に流入する冷媒は、液相の冷媒中に気泡が含まれ、この気泡が膨張弁に流入する際につぶれて騒音を発生させる原因となる。
本発明の目的は、上述した不具合を解消する電動膨張弁を提供することである。
【課題を解決するための手段】
【０００４】
上記目的を達成するために、本発明の電動膨張弁は、基本的手段として、弁本体の軸線上に設けられる弁口の長さ寸法は、弁口内に挿入される弁棒先端のテーパー状の弁部の長さ寸法より大きな寸法を有するものである。
【０００５】
また、弁室の横穴に一端部が連結される配管の他端部は絞り部を備え、そして、絞り部の内径寸法は、弁口の内径寸法に対して１乃至１．５倍の寸法を有し、絞り部の長さ寸法は、絞り部の内径寸法の実質的に略３倍の長さ寸法を有する。
【発明の効果】
【０００６】
本発明は以上の構成を備えることにより、冷媒中に含まれる気泡の流れを阻止して、冷媒の通過音を低減することができる。
【発明を実施するための最良の形態】
【０００７】
図１は、本発明の電動膨張弁のステータを取外した構造を示す説明図である。
全体を符号１で示す電動膨張弁は、黄銅や鉄材でつくられる弁本体１０を有する。弁本体１０は弁室１２を有し、弁室１２には、横穴１１と、弁本体１０の軸線上に設けられる弁口１３と、弁口１３の弁室１２側の端部に形成される弁座１４を備える。
【０００８】
弁本体１０には、円盤状の取付部材２０が固着され、取付部材２０に対して非磁性材でつくられる円筒状のキャン３０が溶接手段Ｗ１等により固着される。
弁本体１０には、弁棒案内部材４０が圧入等の手段により固定される。弁棒案内部材４０は、内径部で弁棒８０を案内するとともに、外ねじ部４２を有する。
【０００９】
この外ねじ部４２に対して、内ねじ部６２を有するねじ部材６０が螺合する。ねじ部材６０は、連結部材５０を介してローター部材７０に一体化される。
ローター部材７０は、磁性材を含有するプラスチックでつくられ、モーターのローターとして機能する。非磁性材製のキャン３０の外側にはコイルが装着されたステータ（共に図示せず）からなる励磁装置が配置される。ローター部材７０は、ステータ側の磁界に対応して回転する。
ローター部材７０の回転は、連結部材５０を介してねじ部材６０に伝達される。
【００１０】
連結部材５０は、ローター部材７０に対して一体成形されており、カシメ手段Ｋ１によりねじ部材６０に固着される。ねじ部材６０の回転は、ねじ部４２，６２の作用により直線運動に変換される。弁棒案内部材４０に挿入される弁棒８０の上端は、ねじ部材６０を貫通し、ストッパ部材８２が圧入されてねじ部材６０に吊り下げられる。
【００１１】
弁棒８０と、ねじ部材６０の間にはコイルスプリング７２が配設され、弁棒８０を弁座１４に向けて付勢する。
弁棒８０の先端にはテーパー状の弁部８４が形成されている。この弁部８４が弁座１４に対して離接することで弁の開度が制御される。
【００１２】
ねじ部材６０の外側にはプラスチック部材６４が固着される。このプラスチック部材６４は回転降下したときに、ストッパー９０に突き当り、下端位置が規制される。
ねじ部材６０が所定の上昇限度よりも上昇したときには、ねじ部４２，６２の螺合が外れることがある。スプリング８６は、ねじ部材６０が逆回転されるときにこの螺合を復帰させるために装備される。
【００１３】
弁本体１０の弁座１４と弁口１３が形成されるボス部１６の外側とは、第１の配管１００が取付けられる。
弁室１２の横穴１１の外側には、第２の配管１１０が取付けられる。これらの配管は、例えば、銅パイプが使用される。
【００１４】
第１の配管１００から冷媒が矢印Ｆ１方向に弁室１２側へ流れるときには、冷媒は、弁本体１０のボス部１６に突き当り、内径寸法Ｄ１を有する弁口１３を通って、弁室１２へ送られる。
この弁口１３の長さ寸法Ｌ１は、全閉状態の弁部８４の長さ寸法より大きくしてある。すなわち、弁部８４の先端部は、常に弁口１３内にとどまり、ボス部１６より突出しない。
【００１５】
この構成により、矢印Ｆ１方向に流れて弁室１２側へ向かう冷媒の騒音の発生を抑制することができる。この騒音低減は、ボス部１６がオリフィスとして機能することによる。
【００１６】
次に、第２の配管１１０の構造を説明する。
第２の配管１１０の一端部は、弁本体１０の弁室１２に通ずる横穴１１の外側に溶接手段により固着される。
第２の配管１１０は、通常は、第１の配管１００に平行になる形状に湾曲される。そして、第２の配管１１０の他端部は、絞り部１１２に形成される。そして、絞り部１１２の外側に延長用配管１２０が嵌着される。
【００１７】
この絞り部１１２は、第２の配管１１０側から弁室１２に流れる矢印Ｆ２で示す冷媒に対して、オリフィスの機能を発揮して膨張弁の通過音を低減させる。
絞り部１１２の内径寸法Ｄ２は、弁の口径寸法Ｄ１に対して１倍から１．５倍の間に設定される。
又、絞り部１１２の長さ寸法Ｌ２は、内径寸法Ｄ２の大略３倍程度に設定される。
【００１８】
図示の実施例にあっては、弁口径Ｄ１は、１．５ｍｍ程度に設定される。そこで、絞り部１１２の内径寸法Ｄ２は、１．５ｍｍから２．２５ｍｍ程度に設定される。
又、絞り部１１２の長さ寸法Ｌ２は、５〜７ｍｍ程度に設定される。
【図面の簡単な説明】
【００１９】
【図１】本発明の電動膨張弁の説明図。
【符号の説明】
【００２０】
１  電動膨張弁
１０  弁本体
１２  弁室
１３  弁口
１４  弁座
１６  ボス部
３０  キャン
４０  弁棒案内部材
６０  ねじ部材
７０  ローター部材
８０  弁棒
８４  弁部
１００  第１の配管
１１０  第２の配管
１１２  絞り部
【図１】
2006097947.tif 000003